(57)【要約】      （修正有）【課題】防犯警報器センサーを提供する。【解決手段】主に一つのケース１０で構成する。ケース１０の上に一つの触発スイッチ１１、一つの電源防犯線入口１２、陳列スタンドと連通する一本の固定線及び陳列商品と固定する一つの粘着層を設ける。また、ケース１０内に一つのマイクロコントローラーの回路基板１３、一つのバッテリー１４及び一つの発声部品１５を設け、マイクロコントローラーの回路基板１３をそれぞれバッテリー１４、発声部品１５、触発スイッチ１１及び固定線と電気接続する。防犯警報器センサーを改善することにより、陳列商品が異常な状態で離れた後の具体的な位置を随時提示し、且つ構造がシンプルとコストが比較的低い効果を具有する。【選択図】図１
0003198016.tif 000002
【実用新案登録請求の範囲】
【請求項１】
一つのケースを含み、
該ケースの上に触発スイッチ、電源防犯線入口、陳列スタンドと連通する固定線及び陳列商品と固定する粘着層を設け、
また、該ケース内にマイクロコントローラー回路基板、バッテリー及び発声部品を設け、該マイクロコントローラー回路基板をそれぞれ該バッテリー、該発声部品、該触発スイッチ及び該固定線と電気接続することを特徴とする防犯警報器センサー。
【請求項２】
該触発スイッチ及び該粘着層を該ケースの頂部表面に設置し、
該ケースの右側壁にUSBインターフェイスを設置し、該USBインターフェイスは該マイクロコントローラー回路基板と電気接続し、該ケースの左側壁にサウンドホールを設け、
該ケースの二つの相対する側にそれぞれ接合部を設け、該ケースの底端に強力磁石ブロックを設置し、
該マイクロコントローラー回路基板に、電源スイッチとワイヤレス遠隔操作受信部品を電気接続し、該ワイヤレス遠隔操作受信部品に登録スイッチを具有することを特徴とする請求項１記載の防犯警報器センサー。
【請求項３】
前記ワイヤレス遠隔操作受信部品は、赤外線遠隔操作受信部品、ブルートゥース遠隔操作受信部品、或いは無線周波数遠隔操作受信部品であることを特徴とする請求項２記載の防犯警報器センサー。
【考案の詳細な説明】
【技術分野】
【０００１】
本考案は防犯警報器装置の構造に関し、特に防犯警報器センサーの改善により、陳列商品が異常な状態で離れた後の具体的な位置を随時提示し、且つ構造がシンプルとコストが比較的低い防犯警報器センサーの構造に関する。
【背景技術】
【０００２】
経済が迅速に発展するのにつれ、ますます多くの店が販売方法の一つとして、実際の商品を陳列展示しているが、それにより展示商品が盗難される問題にも直面せざるをえなくなった。従来型の警報陳列スタンドは、商品陳列スタンドにセンサーを設置し、音声部品は陳列スタンドに設置している。陳列商品が異常な状態で陳列スタンドを離れた際、陳列スタンドの音声部品は甲高いサイレン音を発し、陳列商品を守る者に知らせる。しかし、尚も常に陳列スタンドにある電源コード或いは通信警報ケーブルなどを切断や破壊されて、商品が盗難に遭うリスクがある。例えば中華民国特許申請案第Ｍ４８１６５７号「盗難展示装置」の図２に示すものでは、直ちに発見及び事件解決のいずれにとっても、比較的大きな障害になることを鑑みて、更なる改善が必要であった。
【先行技術文献】
【特許文献】
【０００３】
【特許文献１】特開２００１−１８５８６６号公報
【考案の概要】
【考案が解決しようとする課題】
【０００４】
前記公知構造の欠点を解決するために、陳列商品が異常な状態で離れた後の具体的な位置を随時提示し、且つ構造がシンプルとコストが比較的低い防犯警報器センサーの構造を提供することを主な課題とする。
【課題を解決するための手段】
【０００５】
上述の目的を解決するために、本考案は防犯警報器センサーの構造を提供するものである。具体的に本考案の防犯警報器センサー
は、一つのケースを含み、該ケースの上に触発スイッチ、電源防犯線入口、陳列スタンドと連通する固定線及び陳列商品と固定する
粘着層を設ける。また、該ケース内にマイクロコントローラー回路基板、バッテリー及び発声部品を設け、該マイクロコントローラ
ー回路基板をそれぞれ該バッテリー、該発声部品、該触発スイッチ及び該固定線と電気接続する。
【０００６】
該触発スイッチ及び該粘着層を該ケースの頂部表面に設置し、該ケースの右側壁にUSBインターフェイスを設置し、該USBインター
フェイスは該マイクロコントローラー回路基板と電気接続し、該ケースの左側壁にサウンドホールを設ける。該ケースの二つの相対
する側にそれぞれ接合部を設けることで、結束バンド或いは防犯固定クリップを通した後、該ケースを陳列商品としっかり接続固定
して一体化する。該マイクロコントローラー回路基板に、電源スイッチとワイヤレス遠隔操作受信部品を電気接続し、該ワイヤレス
遠隔操作受信部品に登録スイッチを具有する。該ワイヤレス遠隔操作受信部品は赤外線遠隔操作受信部品や、ブルートゥース遠隔操
作受信部品、或いは無線周波数遠隔操作受信部品のうちの一つを使用することができる。また、該ケースの底端に強力磁石ブロック
を設置する。
【０００７】
本考案の防犯警報器センサーは、実体商品が盗まれる際に、直ちにサイレンシグナルを発することができ、自動的に展示商品の所在位置を知らせることができる。実体商品を追跡する効率と正確度を明らかに高めるだけでなく、盗難者に対して極めて大きな威嚇作用がある。一般の部品を使用し、構造がシンプル及びコストが低い。
【考案の効果】
【０００８】
本考案の構造により、陳列商品が異常な状態で離れた後の具体的な位置を随時提示することができ、より完璧に陳列商品の安全を守ることができる。且つ構造がシンプル、コストが比較低い設計である。
【図面の簡単な説明】
【０００９】
【図１】本考案の最良実施例の正面構造略図である。
【図２】本考案の最良実施例の俯瞰略図である。
【図３】本考案の最良実施例の右側構造略図である。
【図４】本考案の最良実施例の仰視略図である。
【図５】本考案の最良実施例の左側構造略図である。
【図６】本考案の最良実施例の応用略図である。
【考案を実施するための形態】
【００１０】
以下、本考案の構造と特徴および効果を、最良実施例と図面を参照しながら詳細に説明する。
【実施例】
【００１１】
図1に示すのは、本考案の最良実施例の正面構造略図である。該ケース10は一つのケース台101及び一つの上蓋102で形成する密閉空
洞体である。該ケース10の上に一つの触発スイッチ11、一つの電源防犯線入口12を設置し、該電源防犯線入口12は外部の電源コードと
接続して該ケース10内及び陳列商品の一つの粘着層103にまで延伸する。該触発スイッチ11及び粘着層103を該ケース10の頂部表面に設
置し、即ち上蓋102の外表面に設置する。本実施例において、該ケース１０内に一つのマイクロコントローラーの回路基板１３、一つ
のバッテリー１４及び一つの発声部品１５を設ける。該マイクロコントローラーの回路基板１３をそれぞれ該バッテリー１４、該発声
部品１５、該触発スイッチ１１及び電源コードと電気接続する。該バッテリー１４は該マイクロコントローラーの回路基板１３にある
マイクロコントローラーを使用するための電源を提供するものであり、該発声部品１５は音声を発する圧電シートとする。
【００１２】
該ケース10の二つの相対する側にそれぞれ一つの接合部23を設ける。粘着による固定が相応しくない商品であれば、結束バンド或いは防犯固定クリップを使って、該接合部23を通した後、該ケース10を陳列商品としっかり接続固定して一体化する。
【００１３】
図2及び図3に示すのは、本考案の最良実施例の俯瞰略図と右側構造略図である。該マイクロコントローラーの回路基板13に、一つの電源スイッチ17と一つのワイヤレス遠隔操作受信部品18を電気接続する。該電源スイッチ17は該マイクロコントローラーの回路基板13のマイクロコントローラーの電源をオンオフすることができ、また該ワイヤレス遠隔操作受信部品18は一つのインターフェイス180を具有してシグナルを受信する。該ワイヤレス遠隔操作受信部品18は赤外線遠隔操作受信部品や、ブルトゥース遠隔操作受信部品或いは無線周波数遠隔操作受信部品のうちの一つを使用することができる。それにより自動的に該電源スイッチ１７をオンオフすることができ、該マイクロコントローラーの回路基板１３のマイクロコントローラーに対して電源のオンオフをコントロールする。また、該ワイヤレス遠隔操作受信部品１８に一つの登録スイッチ１８１を具有し、該登録スイッチ１８１を使って該ワイヤレス遠隔操作受信部品１８のパスワードを変更することができる。
【００１４】
図3及び図4を参照し、図4は本考案の最良実施例の仰視略図である。該ケース10の底端に一つの強力磁石ブロック19を設置し、該強力磁石ブロック19は磁性スイッチ回路の配置により防御することができる。また、該ケース10の右側壁に一つのUSBインターフェイス20を設置し、該USBインターフェイス20は該マイクロコントローラーの回路基板13と電気接続する。該USBインターフェイス20は設置する充電コードを通じて、陳列品を充電する機能を提供する。
【００１５】
図1及び図5を参照し、図5は本考案の最良実施例の左側構造略図である。該ケース10の左側壁に一つのサウンドホール21を設け、該サウンドホール21は該発声部品15が発する音声を伝える。該ケース10のサイズや形状の設置は、陳列品の形状によって異なる。該粘着層103に各種の軟質材料の接続ヘッドを設置することで、平面、局面或いは球面形状の陳列商品との接続を実現する。
【００１６】
図1及び図6を参照し、図6は本考案の最良実施例の応用略図である。本考案の防犯警報器センサーのケース10は該粘着層103或いは結束バンドを使って、一つの携帯電話22の背面に固定し、該接合部23は一つの固定クリップを接合する。該固定クリップは該携帯電話22を挟んで固定することができ、専用ツールなしにはケース10を該携帯電話22と離すことができない。仮に無理やり離そうとすると、該触発スイッチ11は抵触するものが無くなることにより導通して警報が鳴る。また、該ケース10内の該マイクロコントローラーの回路基板13は一本の固定線24と電気接続し、且つ該固定線24は該ケース10から延伸し、また該固定線24は陳列スタンドと接続する。該固定線24の最良実施例は、プラスティック層に覆われたワイヤー及びシグナルと電流を伝送するケーブルである。且つ該電源防犯線入口12は一つの電源回路25と連通し、該電源回路25は該マイクロコントローラーの回路基板と電気接続する。よって、該固定線24或いは該電源回路25が裂かれたり或いは切断されたりすることで、陳列商品が異常な状態で陳列スタンドを離れるとき、該マイクロコントローラーの回路基板13は触発シグナルを受信し、該発声部品15は直ちに自動的に甲高いサイレンを発して陳列担当スタッフの注意を引き、且つサイレンにより陳列品の所在位置を示すため、より完璧に陳列商品の安全を守る。
【００１７】
以上の説明は本考案の最良実施例の説明のみであり、本考案の範囲を制限するものではない。技術に熟知する者が、本考案の範囲内にて行う変更や調整を行っても、本考案の重要な意義は失われず、本考案の範囲に含まれる。
【符号の説明】
【００１８】
〔本考案〕
１０  ケース
１０１ ケース台
１０２ 上蓋
１０３  粘着層
１１  触発スイッチ
１２  電源防犯線入口
１３  マイクロコントローラーの回路基板
１４  バッテリー
１５  発声部品
１７  電源スイッチ
１８  ワイヤレス遠隔操作受信部品
１８０  インターフェイス
１８１  登録スイッチ
１９  強力磁石ブロック
２０  ＵＳＢインターフェイス
２１  サウンドホール
２２  携帯電話
２３  接合部
２４  固定線
２５  電源回路
２６  充電回路
【図１】
0003198016.tif 000003
【図２】
0003198016.tif 000004
【図３】
0003198016.tif 000005
【図４】
0003198016.tif 000006
【図５】
0003198016.tif 000007
【図６】
0003198016.tif 000008